(57)【特許請求の範囲】
【請求項１】
系統からの電力を充電する蓄電池と前記蓄電池に蓄積された電力を負荷に供給するインバータとを有する蓄電部と、
前記蓄電部の出力に接続され、複数の太陽電池と複数の太陽電池に対応して設けられ且つ太陽電池の発電電力を所定の交流電力に変換し変換された電力を前記負荷と前記インバータを介する前記蓄電池との少なくとも一方に供給する複数のパワーコンディショナとを有する複数の発電部と、
前記系統が異常時で前記インバータが自立運転時に、前記蓄電部に入力される電力を負荷電力情報として計測する前記蓄電部内に備えたメータと、
前記負荷電力情報がセル電圧に応じた所定の充電電力基準値を超えたとき、前記複数のパワーコンディショナの少なくとも１つを停止させる制御部と、
を備えることを特徴とする蓄電システム。
【請求項２】
前記複数のパワーコンディショナの各々は、前記パワーコンディショナに対応する前記太陽電池の発電電力に応じた電力を出力することを特徴とする請求項１記載の蓄電システム。
【請求項３】
小さい閾値から大きい閾値までの複数の閾値と、前記小さい閾値から前記大きい閾値に対応する大きい充電電力基準値から小さい充電電力基準値までの複数の充電電力基準値とを対応付けて記憶した閾値テーブルを有し、
前記制御部は、前記閾値テーブルを参照して、閾値毎に前記蓄電池のセル電圧と前記閾値とを比較し、前記セル電圧が前記閾値よりも小さい場合には前記閾値に対応する前記充電電力基準値を前記所定の充電電力基準値として決定し、前記複数のパワーコンディショナのいずれかのパワーコンディショナの電力が前記所定の充電電力基準値を超えたとき、前記いずれかのパワーコンディショナを停止させることを特徴とする請求項１又は請求項２記載の蓄電システム。
【請求項４】
系統からの電力を充電する蓄電池と前記蓄電池に蓄積された電力を負荷に供給するインバータとを有する蓄電部と、
前記系統が異常時で前記インバータが自立運転時に、前記蓄電部に入力される電力を負荷電力情報として計測する前記蓄電部内に備えたメータと、
前記蓄電部の出力に接続され、複数の太陽電池と複数の太陽電池に対応して設けられ且つ太陽電池の発電電力を所定の交流電力に変換し変換された電力を前記負荷と前記インバータを介する前記蓄電池との少なくとも一方に供給する複数のパワーコンディショナとを有する複数の発電部と、
を備える蓄電システムを制御するための制御プログラムであって、
コンピュータを、
小さい閾値から大きい閾値までの複数の閾値と、前記複数の閾値に対応する大きい充電電力基準値から小さい充電電力基準値までの複数の充電電力基準値とを対応付けて記憶した閾値テーブル、
前記閾値テーブルを参照して、閾値毎に前記蓄電池のセル電圧と前記閾値とを比較する手段、
前記セル電圧が前記閾値よりも小さい場合には前記閾値に対応する前記充電電力基準値をセル電圧に応じた所定の充電電力基準値として決定する手段、
前記負荷電力情報が前記所定の充電電力基準値を超えたとき、前記複数のパワーコンディショナの少なくとも１つを停止させる手段、
前記複数のパワーコンディショナのいずれかのパワーコンディショナの電力が前記所定の充電電力基準値を超えたとき、前記いずれかのパワーコンディショナを停止させる手段、
として機能させるための制御プログラム。
【請求項５】
系統からの電力を充電する蓄電池と前記蓄電池に蓄積された電力を負荷に供給するインバータとを有する蓄電部と、
前記系統が異常時で前記インバータが自立運転時に、前記蓄電部に入力される電力を負荷電力情報として計測する前記蓄電部内に備えたメータと、
前記蓄電部の出力に接続され、複数の太陽電池と複数の太陽電池に対応して設けられ且つ太陽電池の発電電力を所定の交流電力に変換し変換された電力を前記負荷と前記インバータを介する前記蓄電池との少なくとも一方に供給する複数のパワーコンディショナとを有する複数の発電部と、
を備える蓄電システムを制御するための制御プログラムを記録したコンピュータで読み取り可能な記録媒体であって、
コンピュータを、
小さい閾値から大きい閾値までの複数の閾値と、前記複数の閾値に対応する大きい充電電力基準値から小さい充電電力基準値までの複数の充電電力基準値とを対応付けて記憶した閾値テーブル、
前記閾値テーブルを参照して、閾値毎に前記蓄電池のセル電圧と前記閾値とを比較する手段、
前記セル電圧が前記閾値よりも小さい場合には前記閾値に対応する前記充電電力基準値をセル電圧に応じた所定の充電電力基準値として決定する手段、
前記系統が異常時で前記インバータが自立運転時に、前記負荷電力情報が前記所定の充電電力基準値を超えたとき、前記複数のパワーコンディショナの少なくとも１つを停止させる手段、
前記複数のパワーコンディショナのいずれかのパワーコンディショナの電力が前記所定の充電電力基準値を超えたとき、前記いずれかのパワーコンディショナを停止させる手段、
として機能させるための制御プログラムを記録したコンピュータ読み取り可能な記録媒体。
【請求項６】
系統からの電力を充電する蓄電池と、
前記蓄電池に蓄積された電力を負荷に供給するインバータとを有する蓄電部と、
前記蓄電部の出力に接続され、複数の太陽電池と複数の太陽電池に対応して設けられ且つ太陽電池の発電電力を所定の交流電力に変換し変換された電力を前記負荷と、
前記インバータを介する前記蓄電池との少なくとも一方に供給する複数のパワーコンディショナとを有する複数の発電部と、
前記系統が異常時で前記インバータが自立運転時に、前記蓄電部に入力される電力がセル電圧に応じた所定の充電電力基準値を超えたとき、前記複数のパワーコンディショナの少なくとも１つを停止させる制御部と、
を備えることを特徴とする蓄電システム。
【発明の詳細な説明】
【技術分野】
【０００１】
本発明は、蓄電システム、制御プログラム及び記録媒体に関する。
【背景技術】
【０００２】
図５は、従来の蓄電システムの一例を示す図である。図５に示すように、太陽光パネルからなる発電装置（ＰＶ）４に蓄電部２０を搭載する場合、発電装置４と蓄電池２６との間にＤＣ−ＤＣコンバータ３を介している例が多い。この方式をＤＣリンク方式という。
【０００３】
しかし、図６に示すような、発電装置４→太陽光用パワーコンディショナ５（ＰＶ−ＰＣＳ）→インバータ（ＩＮＶ）２５→蓄電池２６となるＡＣリンク方式の充電制御に関する提案が少ない（特許文献１）。
【０００４】
図５に示すＤＣリンク方式において、太陽光用パワーコンディショナ（以下、パワーコンディショナと称する。）５に蓄電部２０を追加する場合には、装置の内部を変更する必要がある。
【０００５】
しかし、図６に示すＡＣリンク方式の場合には、既設のシステムを変更することなく、簡単に蓄電システムを増設することができる。このため、図６に示すＡＣリンク方式は、既設の蓄電システムを有効に活用できるという利点がある。
【０００６】
図７及び図８は、従来の蓄電システムの他の例で自立運転時の動作モードを示す図である。図７では、パワーコンディショナ５において発電した電力を負荷６に供給する。負荷電力からパワーコンディショナ５の発電電力を差し引いた不足分の電力は、蓄電池２６からインバータ２５を介して負荷６に供給する。
【０００７】
図８では、パワーコンディショナ５の発電電力を負荷６に供給するとともに、パワーコンディショナ５の発電電力から負荷電力を差し引いた余剰電力をインバータ２５を介して蓄電池２６に充電する。
【０００８】
蓄電池２６の充電状態が継続されると、蓄電池電圧が上昇していき、インバータ２５の運転可能な上限電圧を超える。蓄電池電圧がインバータ２５の運転可能な上限電圧を超えると、システム監視・制御装置７は、蓄電池２６からの蓄電池電圧に基づき、パワーコンディショナ５を停止させることで、インバータ２５の自立運転を継続させることができる。
【先行技術文献】
【特許文献】
【０００９】
【特許文献１】特開２０１４−０６０８３９号公報
【発明の概要】
【発明が解決しようとする課題】
【００１０】
しかしながら、特許文献１の蓄電システムでは、蓄電池２６への充電電力は、パワーコンディショナ５の発電電力から負荷電力を差し引いた余剰電力となり、なりゆきに依存する。実際には、リチウムイオン電池からなる蓄電池２６は、セル電圧に応じて適した充電電力がある。
【００１１】
しかしながら、特許文献１の蓄電システムは、蓄電池２６のセル電圧に応じた充電電力を考慮していない。このため、セル電圧に応じた充電電力を蓄電池２６に蓄積することが望まれていた。
【００１２】
本発明の課題は、セル電圧に応じた充電電力を蓄電池に蓄積することができる蓄電システム、制御プログラム及び記録媒体を提供することにある。
【課題を解決するための手段】
【００１３】
本発明に係る蓄電システムは、系統からの電力を充電する蓄電池と前記蓄電池に蓄積された電力を負荷に供給するインバータとを有する蓄電部と、前記蓄電部の出力に接続され、複数の太陽電池と複数の太陽電池に対応して設けられ且つ太陽電池の発電電力を所定の交流電力に変換し変換された電力を前記負荷と前記インバータを介する前記蓄電池との少なくとも一方に供給する複数のパワーコンディショナとを有する複数の発電部と、前記系統が異常時で前記インバータが自立運転時に、前記蓄電部に入力される電力を負荷電力情報として計測する前記蓄電部内に備えたメータと、前記負荷電力情報がセル電圧に応じた所定の充電電力基準値を超えたとき、前記複数のパワーコンディショナの少なくとも１つを停止させる制御部とを備えることを特徴とする。
【００１４】
また、本発明の制御プログラムは、系統からの電力を充電する蓄電池と前記蓄電池に蓄積された電力を負荷に供給するインバータとを有する蓄電部と、前記系統が異常時で前記インバータが自立運転時に、前記蓄電部に入力される電力を負荷電力情報として計測する前記蓄電部内に備えたメータと、前記蓄電部の出力に接続され、複数の太陽電池と複数の太陽電池に対応して設けられ且つ太陽電池の発電電力を所定の交流電力に変換し変換された電力を前記負荷と前記インバータを介する前記蓄電池との少なくとも一方に供給する複数のパワーコンディショナとを有する複数の発電部とを備える蓄電システムを制御するための制御プログラムであって、コンピュータを、小さい閾値から大きい閾値までの複数の閾値と、前記複数の閾値に対応する大きい充電電力基準値から小さい充電電力基準値までの複数の充電電力基準値とを対応付けて記憶した閾値テーブル、前記閾値テーブルを参照して、前記閾値毎に前記蓄電池のセル電圧と前記閾値とを比較する手段、前記セル電圧が前記閾値よりも小さい場合には前記閾値に対応する前記充電電力基準値をセル電圧に応じた所定の充電電力基準値として決定する手段、前記系統が異常時で前記インバータが自立運転時に、前記負荷電力情報が前記所定の充電電力基準値を超えたとき、前記複数のパワーコンディショナの少なくとも１つを停止させる手段、前記複数のパワーコンディショナのいずれかのパワーコンディショナの電力が前記所定の充電電力基準値を超えたとき、前記いずれかのパワーコンディショナを停止させる手段として機能させるための制御プログラムである。
【００１５】
また、本発明の記録媒体は、系統からの電力を充電する蓄電池と前記蓄電池に蓄積された電力を負荷に供給するインバータとを有する蓄電部と、前記系統が異常時で前記インバータが自立運転時に、前記蓄電部に入力される電力を負荷電力情報として計測する前記蓄電部内に備えたメータと、前記蓄電部の出力に接続され、複数の太陽電池と複数の太陽電池に対応して設けられ且つ太陽電池の発電電力を所定の交流電力に変換し変換された電力を前記負荷と前記インバータを介する前記蓄電池との少なくとも一方に供給する複数のパワーコンディショナとを有する複数の発電部とを備える蓄電システムを制御するための制御プログラムを記録したコンピュータで読み取り可能な記録媒体であって、コンピュータを、小さい閾値から大きい閾値までの複数の閾値と、前記複数の閾値に対応する大きい充電電力基準値から小さい充電電力基準値までの複数の充電電力基準値とを対応付けて記憶した閾値テーブル、前記閾値テーブルを参照して、前記閾値毎に前記蓄電池のセル電圧と前記閾値とを比較する手段、前記セル電圧が前記閾値よりも小さい場合には前記閾値に対応する前記充電電力基準値をセル電圧に応じた所定の充電電力基準値として決定する手段、前記系統が異常時で前記インバータが自立運転時に、前記負荷電力情報が前記所定の充電電力基準値を超えたとき、前記複数のパワーコンディショナの少なくとも１つを停止させる手段、前記複数のパワーコンディショナのいずれかのパワーコンディショナの電力が前記所定の充電電力基準値を超えたとき、前記いずれかのパワーコンディショナを停止させる手段として機能させるための制御プログラムを記録したコンピュータ読み取り可能な記録媒体である。
【発明の効果】
【００１６】
本発明によれば、系統が異常時でインバータが自立運転時に、制御部は、前記蓄電部に入力される電力を負荷電力情報として計測する前記蓄電部内に備えたメータと、前記負荷電力情報がセル電圧に応じた所定の充電電力基準値を超えたとき、複数のパワーコンディショナの少なくとも１つを停止させるので、セル電圧に応じた充電電力を蓄電池に蓄積することができる。
【図面の簡単な説明】
【００１７】
【図１】本発明の実施例１に係る蓄電システムの回路構成を示す図である。
【図２】本発明の実施例１に係る蓄電システムの閾値と充電電力基準値とを対応付けて記憶した閾値テーブルを示す図である。
【図３】本発明の実施例１に係る蓄電システムの充電電力基準値を決定するためのフローチャートを示す図である。
【図４】本発明の実施例１に係る蓄電システムのパワーコンディショナの運転制御のためのフローチャートを示す図である。
【図５】従来の蓄電システムの一例を示す図である。
【図６】従来の蓄電システムの他の例を示す図である。
【図７】従来の蓄電システムの他の例で自立運転時の動作モードを示す図である。
【図８】従来の蓄電システムの他の例で自立運転時の動作モードを示す図である。
【発明を実施するための形態】
【００１８】
以下、本発明の実施の形態の蓄電システムについて、図面を参照しながら詳細に説明する。
【実施例１】
【００１９】
図１は、本発明の実施例１に係る蓄電システムの回路構成を示す図である。図１において、蓄電システム２は、交流電源１と負荷６とに接続される。交流電源１は、交流電力を蓄電システム２に供給する。
【００２０】
蓄電システム２は、蓄電部２０ｂ、複数の発電装置（ＰＶ）４ａ，４ｂ、複数のパワーコンディショナ５ａ，５ｂ、システム監視・制御装置７ａを備える。
【００２１】
蓄電部２０ｂは、開閉器２１，２２，２３、メータ２４、インバータ２５、蓄電池２６、蓄電池監視装置２８を備える。開閉器２１，２２，２３は、メータ２４及びインバータ２５と、交流電源１（電力系統）との間に接続される。メータ２４は、パワーコンディショナ５ａ，５ｂの発電電力の合計から負荷６の電力を差し引いた電力、即ち、余剰電力を計測し、余剰電力を負荷電力情報としてシステム監視・制御装置７ａに出力する。
【００２２】
インバータ２５は、システム監視・制御装置７ａからのオンオフ信号に基づき、交流電力と直流電力とを双方向に変換し、蓄電池２６に蓄積された電力を負荷６に供給する。
【００２３】
蓄電池２６は、直列に接続された複数のセルからなる例えばリチウムイオン電池であり、系統からの電力を充電し、負荷６に給電する電力を蓄積する。
【００２４】
蓄電池監視装置２８は、蓄電池２６の複数のセルの各セルの電圧を検出し、検出された複数のセル電圧の内の最も大きいセル電圧を蓄電池情報としてシステム監視・制御装置７ａに出力する。
【００２５】
発電装置４ａ，４ｂは、太陽電池であり、太陽光により発電した発電電力をパワーコンディショナ５ａ，５ｂに出力する。パワーコンディショナ５ａ，５ｂは、発電装置４ａ，４ｂの発電電力を所定の交流電力に変換し変換された電力を負荷６とインバータ２５を介する蓄電池２６との少なくとも一方に供給する。発電装置４ａ，４ｂ、パワーコンディショナ５ａ，５ｂは、本発明の発電部に相当する。
【００２６】
パワーコンディショナ５ａ，５ｂの各々は、パワーコンディショナ５ａ，５ｂに対応する発電装置４の発電電力に応じた電力を出力する。即ち、出力電力の制御が可能なパワーコンディショナは、対象外とする。
【００２７】
システム監視・制御装置７ａは、本発明の制御部に対応し、中央処理装置（ＣＰＵ）７４、メモリ７１を備える。ＣＰＵ７４は、本発明のコンピュータに相当する。メモリ７１は、制御プログラム７２と閾値テーブル７３とを格納し、本発明の記録媒体に相当する。制御プログラム７２は、本発明の制御プログラムに相当する。
【００２８】
ＣＰＵ７４は、閾値テーブル７３を参照して、制御プログラム７２の各処理を実行する。制御プログラム７２の各処理は、後述する図３及び図４に示すフローチャートの各処理である。
【００２９】
閾値テーブル７３は、図２に示すように、小さい閾値から大きい閾値までの複数の閾値と、小さい閾値から大きい閾値に対応する大きい充電電力基準値から小さい充電電力基準値までの複数の充電電力基準値とを対応付けて記憶したテーブルである。
【００３０】
図２に示す例では、閾値Ｔｈ１＜Ｔｈ２＜Ｔｈ３であり、充電電力基準値Ａｋｗ＞Ｂｋｗ＞Ｃｋｗである。閾値Ｔｈ１と充電電力基準値Ａｋｗとが対応し、閾値Ｔｈ２と充電電力基準値Ｂｋｗとが対応し、閾値Ｔｈ３と充電電力基準値Ｃｋｗとが対応する。
【００３１】
各々の閾値は、蓄電池監視装置２８から送られてくるセル電圧の値に応じて設定され、セル電圧に応じて充電電力基準値も設定されている。このため、図２に示す閾値テーブル７３は、閾値と充電電力基準値とが対応している。なお、セル電圧に応じた充電電力は、蓄電池によって異なる。
【００３２】
ＣＰＵ７４は、閾値テーブル７３を参照して、図３に示すように、閾値毎に蓄電池２６のセル電圧と閾値とを比較し、セル電圧が閾値よりも小さい場合にはその閾値に対応する充電電力基準値を、セル電圧に応じた所定の充電電力基準値として決定する。
【００３３】
ＣＰＵ７４は、メータ２４からの負荷電力情報と、蓄電池監視装置２８からの蓄電池情報（セル電圧情報）と、パワーコンディショナ５ａ，５ｂからの発電情報を入力する。
【００３４】
ＣＰＵ７４は、入力された情報に基づき、系統が異常時でインバータ２５が自立運転時に、図４に示すように、余剰電力が所定の充電電力基準値を超えたとき、複数のパワーコンディショナ５ａ，５ｂの少なくとも１つを停止させる。セル充電電力は、セル電圧に対応した電力であり、余剰電力は、メータ２４の読み値で負荷電力の充電方向電力に相当する。
【００３５】
ＣＰＵ７４は、パワーコンディショナ５ａ，５ｂのいずれかのパワーコンディショナの電力が所定の充電電力基準値を超えたとき、いずれかのパワーコンディショナを停止させる。
【００３６】
次に、このように構成された実施例１の蓄電システムの動作を説明する。まず、図３のフローチャートを参照しながら、蓄電池監視装置２８からのセル電圧に応じた充電電力基準値を決定する処理を説明する。
【００３７】
まず、ＣＰＵ７４は、閾値テーブル７３から閾値Ｔｈ１を読み出し、蓄電池監視装置２８からのセル電圧が閾値Ｔｈ１よりも小さいかどうかを判定する（ステップＳ１１）。
【００３８】
セル電圧が閾値Ｔｈ１よりも小さい場合には（ステップＳ１１のＹｅｓ）、閾値テーブル７３から閾値Ｔｈ１に対応する充電電力基準値Ａｋｗを所定の充電電力基準値として決定する（ステップＳ１２）。
【００３９】
次に、セル電圧が閾値Ｔｈ１よりも大きい場合には（ステップＳ１１のＮｏ）、ＣＰＵ７４は、閾値テーブル７３から閾値Ｔｈ２を読み出し、蓄電池監視装置２８からのセル電圧が閾値Ｔｈ２よりも小さいかどうかを判定する（ステップＳ１３）。
【００４０】
セル電圧が閾値Ｔｈ２よりも小さい場合には（ステップＳ１３のＹｅｓ）、閾値テーブル７３から閾値Ｔｈ２に対応する充電電力基準値Ｂｋｗを所定の充電電力基準値として決定する（ステップＳ１４）。
【００４１】
次に、セル電圧が閾値Ｔｈ２よりも大きい場合には（ステップＳ１３のＮｏ）、ＣＰＵ７４は、閾値テーブル７３から閾値Ｔｈ３を読み出し、蓄電池監視装置２８からのセル電圧が閾値Ｔｈ３よりも小さいかどうかを判定する（ステップＳ１５）。
【００４２】
セル電圧が閾値Ｔｈ３よりも小さい場合には（ステップＳ１５のＹｅｓ）、閾値テーブル７３から閾値Ｔｈ３に対応する充電電力基準値Ｃｋｗを所定の充電電力基準値として決定する（ステップＳ１６）。
【００４３】
次に、セル電圧が閾値Ｔｈ３よりも大きい場合には（ステップＳ１５のＮｏ）、ＣＰＵ７４は、充電電力基準値０ｋｗを所定の充電電力基準値として決定する（ステップＳ１７）。
【００４４】
即ち、ＣＰＵ７４は、セル電圧と閾値とを比較して、セル電圧が小さい場合には、充電電力基準値を大きくすることで、パワーコンディショナ５ａ，５ｂから蓄電池２６への充電量を大きくすることができる。また、セル電圧が大きい場合には、充電電力基準値を小さくすることで、パワーコンディショナ５ａ，５ｂから蓄電池２６への充電量を小さくする。
【００４５】
次に、図３の処理により決定された充電電力基準値を用いて、図４を参照しながら、パワーコンディショナ５ａ，５ｂの運転制御を行う場合について、説明する。
【００４６】
まず、ＣＰＵ７４は、蓄電池監視装置２８からの蓄電池情報であるセル電圧に基づき、蓄電池２６が満充電かどうかを判定する（ステップＳ２１）。
【００４７】
蓄電池２６が満充電である場合には（ステップＳ２１のＹｅｓ）、ＣＰＵ７４は、パワーコンディショナ５ａ，５ｂに停止指令を出力し、パワーコンディショナ５ａ，５ｂを停止させる（ステップＳ２２）。
【００４８】
蓄電池２６が満充電でない場合には（ステップＳ２１のＮｏ）、ＣＰＵ７４は、メータ２４から得る負荷電力情報である余剰電力が、図３の処理で決定された所定の充電電力基準値よりも小さいかどうかを判定する（ステップＳ２３）。
【００４９】
余剰電力が充電電力基準値よりも小さい場合には（ステップＳ２３のＹｅｓ）、ＣＰＵ７４は、パワーコンディショナ５ａ，５ｂの運転を継続させる（ステップＳ２４）。
【００５０】
次に、余剰電力が充電電力基準値よりも大きい場合には（ステップＳ２３のＮｏ）、ＣＰＵ７４は、パワーコンディショナ５ａの電力が充電電力基準値よりも大きいかどうかを判定する（ステップＳ２５）。
【００５１】
パワーコンディショナ５ａの電力が充電電力基準値よりも大きい場合には（ステップＳ２５のＹｅｓ）、ＣＰＵ７４は、パワーコンディショナ５ｂの電力が充電電力基準値よりも大きいかどうかを判定する（ステップＳ２６）。
【００５２】
パワーコンディショナ５ｂの電力が充電電力基準値よりも大きい場合には（ステップＳ２６のＹｅｓ）、ＣＰＵ７４は、パワーコンディショナ５ａ，５ｂの運転を停止させる（ステップＳ２７）。
【００５３】
パワーコンディショナ５ｂの電力が充電電力基準値よりも小さい場合には（ステップＳ２６のＮｏ）、ＣＰＵ７４は、パワーコンディショナ５ａの運転を停止させる（ステップＳ２８）。
【００５４】
パワーコンディショナ５ａの電力が充電電力基準値よりも小さい場合には（ステップＳ２５のＮｏ）、ＣＰＵ７４は、パワーコンディショナ５ｂの電力が充電電力基準値よりも大きいかどうかを判定する（ステップＳ２９）。
【００５５】
パワーコンディショナ５ｂの電力が充電電力基準値よりも大きい場合には（ステップＳ２９のＹｅｓ）、ＣＰＵ７４は、パワーコンディショナ５ｂの運転を停止させる（ステップＳ３０）。
【００５６】
パワーコンディショナ５ｂの電力が充電電力基準値よりも小さい場合には（ステップＳ２９のＮｏ）、ＣＰＵ７４は、パワーコンディショナ５ｂの電力がパワーコンディショナ５ａの電力よりも大きいかどうかを判定する（ステップＳ３１）。
【００５７】
パワーコンディショナ５ｂの電力がパワーコンディショナ５ａの電力よりも大きい場合には（ステップＳ３１のＹｅｓ）、ＣＰＵ７４は、パワーコンディショナ５ａの運転を停止させる（ステップＳ３２）。
【００５８】
パワーコンディショナ５ｂの電力がパワーコンディショナ５ａの電力よりも小さい場合には（ステップＳ３１のＮｏ）、ＣＰＵ７４は、パワーコンディショナ５ｂの運転を停止させる（ステップＳ３３）。
【００５９】
このように、実施例１の蓄電システムによれば、系統が異常時でインバータ２５が自立運転時に、システム監視・制御装置７ａは、メータ２４から得る負荷電力情報である余剰電力がセル電圧に応じた所定の充電電力基準値を超えたとき、パワーコンディショナ５ａ，５ｂの少なくとも１つを停止させるので、セル電圧に応じた充電電力を蓄電池２６に蓄積することができる。
【符号の説明】
【００６０】
１  交流電源
２  蓄電システム
４  発電装置（ＰＶ）
５ａ，５ｂ  パワーコンディショナ（ＰＶ−ＰＣＳ１）
６  負荷
２１〜２３  開閉器
２４  メータ
２５  インバータ（ＩＮＶ）
２６  蓄電池
２８  蓄電池監視装置
７ａ  システム監視・制御装置
７１  メモリ
７２  制御プログラム
７３  閾値テーブル
７４  ＣＰＵ
【図１】
0006610419.tif 000002
【図２】
0006610419.tif 000003
【図３】
0006610419.tif 000004
【図４】
0006610419.tif 000005
【図５】
0006610419.tif 000006
【図６】
0006610419.tif 000007
【図７】
0006610419.tif 000008
【図８】
0006610419.tif 000009